(57)【要約】【課題】  あらゆる角度から見ることが可能であり、しかも２つの彎曲面を同時に見たり、立体的に見ることができるため、複雑な模様の絵などを表示することが可能であり、しかも透光性素材又は光拡散性素材が基台より落下して児童らに損傷を与えるおそれのない安全な造形物の展示用器具を提供する。【解決手段】  外面に造形を施した筒状等の透光性素材又は光拡散性素材２と、該透光性素材又は光拡散性素材２の内部より光を照射して前記造形物を照明する発光体３と、該発光体３を発光させる電気回路を備えた基台４とからなるものであって、前記基台４に前記透光性素材又は光拡散性素材２の端部が挿入可能となされていて、基台４内の発光体３が透光性素材又は光拡散性素材２を照明させるようになされており、しかも前記基台４と前記透光性素材又は光拡散性素材２の挿入用端部とには、連結手段を備えていて、一体的に連結可能となされている。【選択図】図１
0003129102.tif 000002
【実用新案登録請求の範囲】
【請求項１】
表面に粘土を添着したり、彩色を施して造形を施した筒状の透光性素材又は光拡散性素材と、該透光性素材又は光拡散性素材の内部より光を照射して前記造形物を照明する発光体と、該発光体を発光させる電気回路を備えた基台とからなるものであって、前記基台に前記透光性素材又は光拡散性素材の端部が挿入可能となされていて、基台内の発光体が透光性素材又は光拡散性素材を照明させるようになされており、しかも前記基台と前記透光性素材又は光拡散性素材の挿入用端部とには、連結手段を備えていて、一体的に連結可能となされていることを特徴とする造形物の展示用器具。
【請求項２】
前記基台と前記透光性素材又は光拡散性素材の挿入用端部は、ともに螺旋部を備えていて、一体的に連結可能となされていることを特徴とする請求項１記載の造形物の展示用器具。
【請求項３】
前記基台と前記透光性素材又は光拡散性素材の挿入用端部は、螺旋部を備えており、対称基台部は面ファスナー（フック側）を備えていて、一体的に連結可能となされていることを特徴とする請求項１記載の造形物の展示用器具。
【考案の詳細な説明】
【技術分野】
【０００１】  本考案は、造形物の展示用器具に関するものである。
【背景技術】
【０００２】  絵や模様などの表示体としては、特許文献１に記載されているように、絵や模様などを彫刻したガラス板などの透光性素材の側面に配置した発光ランプによって照射して絵や模様などを照明、表示するものが知られている。【０００３】
【特許文献１】  特開２０００−１４９６０６号公報
【０００４】  しかし、発光ランプより照射された光は、ガラス板などの透光性素材の一側面から他の側面に向かって内部を透過してゆき、絵や模様の凹凸面で反射されて絵や模様を照明、表示するのであるが、ガラス板などの一枚の透光性素材を使用する場合には、見る方向が限定されるのみならず、複雑な変化を簡易に生じさせることが困難であるなどの欠点がある。
【考案の開示】
【考案が解決しようとする課題】
【０００５】  本考案は、上記のような従来の欠点を改善して、ガラス板などの一枚の透光性素材に代えて、筒状の透光性素材又は光拡散性素材を使用して、あらゆる角度から見ることが可能であり、しかも２つの彎曲面を同時に見たり、立体的に見ることができるため、複雑な模様の造形物を表示することが可能であり、しかも透光性素材又は光拡散性素材が基台より落下して児童らに損傷を与えるおそれのない安全な造形物の展示器具を提供することを目的とするものである。
【課題を解決するための手段】
【０００６】  本考案は上記の目的を達成するものであって、請求項１の考案は、表面に粘土を添着したり、彩色を施して造形を施した筒状の透光性素材又は光拡散性素材と、該透光性素材又は光拡散性素材を内部より光を照射して前記絵や模様等を表示する発光体と、該発光体を発光させる電気回路を備えた基台とからなるものであって、前記基台に前記透光性素材又は光拡散性素材の端部が挿入可能となされていて、基台内の発光体が透光性素材又は光拡散性素材を照明させるようになされており、しかも前記基台と前記透光性素材又は光拡散性素材の挿入用端部とには、連結手段を備えていて、一体的に連結可能となされていることを特徴とする造形物の展示用器具である。【０００７】  請求項２の考案は、前記基台と前記透光性素材又は光拡散性素材の挿入用端部は、ともに螺旋部を備えていて、一体的に連結可能となされていることを特徴とする請求項１記載の造形物の展示用器具である。【０００８】  請求項３の考案は、前記基台と前記透光性素材又は光拡散性素材の挿入用端部は、螺旋部を備えており、対称基台部は面ファスナー（フック側）を備えていて、一体的に連結可能となされていることを特徴とする請求項１記載の造形物の展示用器具である。
【考案の効果】
【０００９】  本考案の造形物の展示用器具は、筒状の透光性素材又は光拡散性素材を使用することにより、３６０度のあらゆる角度からも見ることが可能であり、しかも２つの彎曲面を同時に見たり、立体的に見ることができるため、複雑な模様の絵などを表示することが可能であり、しかも透光性素材又は光拡散性素材が基台より落下して児童らに損傷を与えるおそれがなく、不注意な子供らの怪我を未然に防止することができるなどの安全性に優れたものである。
【考案を実施するための最良の形態】
【００１０】  以下、本考案を図示の実施例に従って詳細に説明する。
図１ないし図４において、１は本考案の造形物の展示用器具であり、該展示用器具１は、外面に造形を施した透光性素材又は光拡散性素材２と、該透光性素材又は光拡散性素材２に光を照射して造形物を照明する発光体３と、該発光体３を発光させる電気回路を備えた基台４とからなるものである。なお、基台中には発光体電源用のバッテリーやその他の発光体用電源用基材を収納する１０を有する。【００１１】  透光性素材又は光拡散性素材２は、ガラス、プラスチック、紙等からなる筒状の透光性素材又は光拡散性素材からなるものであって、少なくとも一つの外面又は内面に粘土や彩色や凹凸模様を施して造形を施したものであって、光を照射した際に光がこの箇所を透過又は拡散して、外部から観察している人に造形物の美を認識させることが可能である。筒状の形状は、円筒状に限らず、彎曲状、角形状、ボトル状、アンドン状、球状などの各種の形状とすることができる。【００１２】  透光性素材又は光拡散性素材２としては、飲料や洗剤など容器として使用され、廃棄するプラスチック製ボトルなどの透明廃材に裁断などによって変形を施したり、凹凸状に粘士を貼り付けたり、彩色や凹凸模様を施して造形したものであっても良く、粘土による造形を基台に載せて透光性素材又は光拡散性素材２の下から又は中心等からライトアップさせることにより、独特の造形模様を表示することができる。【００１３】  発光体３は、透光性素材又は光拡散性素材２の内部より光を照射して絵や模様等を発光、表示するものであって、ＬＥＤライト（発光ダイオード）、白熱電球、発光体とセットになった光ファイバー、ブラックライト、蛍光灯等が例示されるが、これに限らない。発光体３は、三色のＬＥＤランプが最適であって、三色のランプを交互に点滅させることにより、美麗な表示が可能である。なお、光発光体の位置は代表的な基台の例を示したが、基本的には発光体の位置（高さ）は任意であり、図１〜図４に示した基台成形物の他に透光性素材又は光拡散性素材２の光の演出が最高の効果を発揮させる図５のような構造になり得るようにしても一向に差し支えない。【００１４】  基台４は、上面に凹部５を備えており、この凹部５に前記透光性素材又は光拡散性素材２の端部が挿入可能となされている。この凹部５の上面には発光体３とこれを発光させる端子が配設されており、凹部５内の発光体３が透光性素材又は光拡散性素材２を照明するようになされている。接続端子は、内部の電気回路と接続されており、発光体３による優れた照明効果を得るためには、三原色の発光体を点灯させるように、順次点滅させる機能を備えていることが望ましいが、これに限らない。なお、図４は代表的な基材の成形品の形状を示したまでで、発光体の位置や嵌合部の形状や基材の形状は変わっても一向にかまわない。【００１５】  基台４の凹部５と前記透光性素材又は光拡散性素材２の挿入用端部とには連結手段を備えていて、一体的に連結可能となされている。この具体的な手段としては、基台４の凹部５と前記透光性素材又は光拡散性素材２の挿入用端部との両方に螺旋部６を形成して連結可能とすることが可能である。この場合には、螺旋部６をネジ止めと反対方向への回転により、連結状態を解除するこ��ができる。【００１６】  さらに、他の具体的な手段としては、基台の凹部５と透光性素材又は光拡散性素材２の挿入用端部は螺旋部６を形成し、対称基台部には面ファスナー（フック側）７を添着し、面ファスナー（フック側）７の柔軟な繊毛を螺旋部６の凹凸部に嵌入することにより安定な連結が可能である。この場合には、柔軟な繊毛は所定の力以上の大きな力を加えると、連結状態を解除することができるので、透光性素材又は光拡散性素材２の交換が一層、容易である。他の具体的な手段としては、バヨネット方式によるものや粘着剤によるものや磁石などによっても良い。またペットボトルを使用する場合に限っては、ペットボトルのキャップ上部を切除したもの基台凹部５に収まるようにしてもよい。【００１７】  本発明では、前記凹部５は、ほぼ、規格が統一されている飲料用のプラスチック製ボトルのキャップ取付用の螺旋部の口径に基準を合わせることによって、プラスチック製ボトルを透光性素材又は光拡散性素材２として、飲料メーカーやボトルの容器の形状（丸型や角型など）、大きさ（３５０ｍｌや１．５ｌ用など）を特定することなく、自由に採用することが可能であり、粘土造形を施した透光性素材又は光拡散性素材２として、あるいは各種の彩色を施した透光性素材又は光拡散性素材２として利用することができる。【００１８】  このように、透光性素材又は光拡散性素材２と基台の凹部５とは連結固定可能であるので、傾斜状態にある場合でも、天井吊りなどのように倒立状態でも透光性素材又は光拡散性素材２が落下することがないので、広範な展示などが可能である。本発明の基台と透光性素材又は光拡散性素材２の固定手段は着脱が可能であるため、１つの基台に対して、複数の透光性素材又は光拡散性素材２を所望により次々と交換することが可能である。透光性素材又は光拡散性素材２を自由にカットして形状を多彩に変形したり、表面に粘土や彩色を施して「光の立体造形物」を制作することができる。【００１９】  透光性素材又は光拡散性素材２は、図３に示すように、透光性素材又は光拡散性素材２と基台凹部５への取り付け部とが一体的に形成されていなくても良く、別々に形成して任意の方法で結合して組み立てて使用しても良い。【００２０】  なお、上記の説明では、すべて基台に凹部５を形成することで説明したが、これに替え凹部５の中に凸部があっても良い。また、連結手段として螺旋部を使用することで説明したが、これに替えて図４に示すように、突起部とＬ字状溝部とからなるバヨネット方式の連結手段８や磁石による連結手段などの各種の公知の連結手段であっても良い。
【図面の簡単な説明】
【００２１】
【図１】  本考案の造形物の展示用器具の一例を示す側面図である。
【図２】  本考案の造形物の展示用器具の他の例を示す側面図である。
【図３】  本考案の造形物の展示用器具のさらに他の例を示す側面図である。
【図４】  本考案の造形物の展示用器具のさらに他の例を示す側面図である。
【図５】  本考案の造形物の展示用器具のさらに他の例を示す側面図である。
【符号の説明】
【００２２】１：造形物の展示用器具
２：透光性素材又は光拡散性素材
３：発光体
４：基台
５：凹部
６：螺旋部
７：面ファスナー
８：バヨネット方式の連結手段
９：高さ調整基台
１０：電源基材部
【図１】
0003129102.tif 000003
【図２】
0003129102.tif 000004
【図３】
0003129102.tif 000005
【図４】
0003129102.tif 000006
【図５】
0003129102.tif 000007
【手続補正書】
【提出日】平成18年10月23日(2006.10.23)
【手続補正１】
【補正対象書類名】実用新案登録請求の範囲
【補正対象項目名】全文
【補正方法】変更
【補正の内容】
【実用新案登録請求の範囲】
【請求項１】
表面に粘土を添着したり、彩色を施して造形を施した筒状の透光性素材又は光拡散性素材と、該透光性素材又は光拡散性素材の内部より光を照射して前記造形物を照明する発光体と、該発光体を発光させる電気回路を備えた基台とからなるものであって、前記基台に前記透光性素材又は光拡散性素材の端部が挿入可能となされていて、基台内の発光体が透光性素材又は光拡散性素材を照明させるようになされており、しかも前記基台と前記透光性素材又は光拡散性素材の挿入用端部とには、連結手段を備えていて、一体的に連結可能となされていることを特徴とする造形物の展示用器具。
【請求項２】
前記基台と前記透光性素材又は光拡散性素材の挿入用端部は、ともに螺旋部を備えていて、一体的に連結可能となされていることを特徴とする請求項１記載の造形物の展示用器具。
【請求項３】
前記基台と前記透光性素材又は光拡散性素材の挿入用端部は、螺旋部を備えており、対称基台部は面ファスナーを備えていて、一体的に連結可能となされていることを特徴とする請求項１記載の造形物の展示用器具。